(57)【要約】【課題】ＶＣＯのＶＴ端子側から見えるバラクタダイオード数を減少させることによりリファレンスリークを低減するＰＬＬ回路を提供する。【解決手段】ＰＬＬ回路を構成するループフィルタから出力されるＶＣＯ制御電圧とＶＣＯを予め関連付けて設定し、ループフィルタのＶＣＯ制御電圧に基づいて対応するＶＣＯを選択し、該ＶＣＯの電圧制御発振器制御電圧端子とループフィルタの出力端子との接続を制御する切替信号を生成するＶＣＯ切替回路と、切替信号に基づいて、選択されたＶＣＯのみの電圧制御発振器制御電圧端子とループフィルタの出力端子を接続し、他のＶＣＯの電圧制御発振器制御電圧端子とループフィルタの出力端子との接続を解除するＶＴ選択回路と、を備えるＶＣＯの制御電圧端子にバラクタダイオードが接続された、発振周波数帯域の異なる複数のＶＣＯを備えるＰＬＬ回路である。【選択図】図１
2010226286.tif 000002
【特許請求の範囲】
【請求項１】
ＶＣＯの制御電圧端子にバラクタダイオードが接続された、発振周波数帯域の異なる複数のＶＣＯを備えるＰＬＬ回路であって、
前記ＰＬＬ回路を構成するループフィルタから出力されるＶＣＯ制御電圧と前記ＶＣＯを予め関連付けて設定し、前記ループフィルタのＶＣＯ制御電圧に基づいて対応する前記ＶＣＯを選択し、該ＶＣＯの電圧制御発振器制御電圧端子と前記ループフィルタの出力端子との接続を制御する切替信号を生成するＶＣＯ切替回路と、
前記切替信号に基づいて、選択されたＶＣＯのみの前記電圧制御発振器制御電圧端子と前記ループフィルタの出力端子を接続し、他のＶＣＯの電圧制御発振器制御電圧端子と前記ループフィルタの出力端子との接続を解除するＶＴ選択回路と、
を備えることを特徴とするＰＬＬ回路。
【請求項２】
前記ＶＣＯ切替回路の前記切替信号は、
選択された前記ＶＣＯのみの電流をオンにし、他の前記ＶＣＯの電流をオフにするとともに、選択された前記ＶＣＯのみの出力を選択することを特徴とする請求項１に記載のＰＬＬ回路。
【請求項３】
ＶＣＯの制御電圧端子にバラクタダイオードが接続された、発振周波数帯域の異なる複数のＶＣＯを備えるＰＬＬ回路であって、
前記ＰＬＬ回路を構成するループフィルタから出力されるＶＣＯ制御電圧と前記ＶＣＯを予め関連付けて設定し、前記ループフィルタのＶＣＯ制御電圧に基づいて対応する前記ＶＣＯを選択し、該ＶＣＯの前記バラクタダイオードのアノード端子とグランド端子との接続を制御する切替信号を生成するＶＣＯ切替回路と、
前記切替信号に基づいて、選択されたＶＣＯのみの前記バラクタダイオードのアノード端子と前記グランド端子を接続し、他のＶＣＯの前記バラクタダイオードのアノード端子と前記グランド端子との接続を解除するスイッチ回路と、
を備えることを特徴とするＰＬＬ回路。
【請求項４】
前記ＶＣＯ切替回路の前記切替信号は、
選択された前記ＶＣＯのみの電流をオンにし、他の前記ＶＣＯの電流をオフにするとともに、選択された前記ＶＣＯのみの出力を選択することを特徴とする請求項４に記載のＰＬＬ回路。
【請求項５】
ＶＣＯの制御電圧端子にバラクタダイオードが接続された、発振周波数帯域の異なる複数の発振部を備えるＰＬＬ回路であって、
前記ＰＬＬ回路を構成するループフィルタから出力されるＶＣＯ制御電圧と前記発振部を予め関連付けて設定し、前記ループフィルタのＶＣＯ制御電圧に基づいて対応する前記発振部を選択し、該発振部の電圧制御発振器制御電圧端子と前記ループフィルタの出力端子との接続を制御する切替信号を生成するＶＣＯ切替回路と、
前記切替信号に基づいて、選択された発振部のみの前記電圧制御発振器制御電圧端子と前記ループフィルタの出力端子を接続し、他の発振部の電圧制御発振器制御電圧端子と前記ループフィルタの出力端子との接続を解除するＶＴ選択回路と、
を備えることを特徴とするＰＬＬ回路。
【請求項６】
ＶＣＯの制御電圧端子にバラクタダイオードが接続された、発振周波数帯域の異なる複数の発振部を備えるＰＬＬ回路であって、
前記ＰＬＬ回路を構成するループフィルタから出力されるＶＣＯ制御電圧と前記発振部を予め関連付けて設定し、前記ループフィルタのＶＣＯ制御電圧に基づいて対応する前記発振部を選択し、該ＶＣＯの前記バラクタダイオードのアノード端子とグランド端子との接続を制御する切替信号を生成するＶＣＯ切替回路と、
前記切替信号に基づいて、選択された発振部のみの前記バラクタダイオードのアノード端子と前記グランド端子を接続し、他の発振部の前記バラクタダイオードのアノード端子と前記グランド端子との接続を解除するスイッチ回路と、
を備えることを特徴とするＰＬＬ回路。
【発明の詳細な説明】
【技術分野】
【０００１】
本発明は、広帯域の発振周波数をカバーする一つ若しくは複数の電圧制御発振器（以下、ＶＣＯ：Voltage Controlled Oscillator）を備えるＰＬＬ（Phase Locked Loop）回路の技術に関する。
【背景技術】
【０００２】
従来、広い周波数範囲の信号を受信するチューナでは、周波数範囲をカバーするために発振周波数帯域の異なる複数のＶＣＯを切り替えて最適なＶＣＯを選択しており、選択されていないＶＣＯは電流をオフにし切り離されている（電流オフ）ことが知られている。
【０００３】
しかしながら、従来のように使用しないＶＣＯの電流をオフするだけではリファレンスリークが低減できないという問題がある。なぜならリファレンスリークは、例えば複数のＶＣＯ構成で使用する場合、各ＶＣＯのＶＣＯ制御電圧端子（以後ＶＴ端子と呼ぶ）へのバラクタダイオードからのリーク電流により発生する。そして、リーク電流はＶＣＯ内部のＶＴ端子に接続されているバラクタダイオードにより増加する。そのため、ＶＣＯの電流をオフしても、ＶＣＯのバラクタダイオードの数量が減少しないためリファレンスリークの量が低減できないという問題がある。
【０００４】
これに対して特許文献１によれば、発振回路と、共振回路と、Ｐ点に接続された帯域切替え用付加コンデンサをオン／オフするスイッチ回路とからなるＶＣＯにおいて、付加コンデンサをオン／オフするＳＷダイオードの接地側に安価な低電圧ダイオードを逆方向に接続し、Ｐ３点にバイアス抵抗を介して一定電圧ＶＺを印加しておく。ＳＷ制御電圧を０Ｖに切替えたとき、点Ｐ３の電圧ＶＺが保持されているので、ＳＷダイオードに逆方向の電圧が印加されオフ状態となってＲＦリーク電流が流れず、Ｑの低下がなく、高いＣ／Ｎが保たれる。Ｖ／ＵＨＦ帯無線機の局発に用いられ、高群と低群に分割した周波数帯域を切替えるスイッチ回路を備えたＶＣＯにおいて、低コストで、帯域を切替えた時のＣ／Ｎ低下を防ぐ提案がされている。
【先行技術文献】
【特許文献】
【０００５】
【特許文献１】特開２０００−３５３９１７号公報
【発明の概要】
【発明が解決しようとする課題】
【０００６】
上記のような実情に鑑みてなされたものであり、バラクタダイオードを設けることにより発生するリファレンスリークを低減し、広帯域にわたり安定した発振信号を出力するＰＬＬ回路を提供することを目的とする。
【課題を解決するための手段】
【０００７】
態様のひとつであるＶＣＯの制御電圧端子にバラクタダイオードが接続された、発振周波数帯域の異なる複数のＶＣＯを備えるＰＬＬ回路は、ＶＣＯ切替回路、ＶＴ選択回路を備える。
【０００８】
ＶＣＯ切替回路は、上記ＰＬＬ回路を構成するループフィルタから出力されるＶＣＯ制御電圧と上記ＶＣＯを予め関連付けて設定し、上記ループフィルタのＶＣＯ制御電圧に基づいて対応する上記ＶＣＯを選択し、該ＶＣＯの電圧制御発振器制御電圧端子と上記ループフィルタの出力端子との接続を制御する切替信号を生成する。
【０００９】
ＶＴ選択回路は、上記切替信号に基づいて、選択されたＶＣＯのみの上記電圧制御発振器制御電圧端子と上記ループフィルタの出力端子を接続し、他のＶＣＯの電圧制御発振器制御電圧端子と上記ループフィルタの出力端子との接続を解除する。
【００１０】
他の態様のひとつである発振周波数帯域の異なる複数の電圧制御発振器制御電圧端子にバラクタダイオードの一方が接続されたＶＣＯを備えるＰＬＬ回路は、ＶＣＯ切替回路、スイッチ回路を備える。
【００１１】
ＶＣＯ切替回路は、上記ＰＬＬ回路を構成するループフィルタから出力されるＶＣＯ制御電圧と上記ＶＣＯを予め関連付けて設定し、上記ループフィルタのＶＣＯ制御電圧に基づいて対応する上記ＶＣＯを選択し、該ＶＣＯの前記バラクタダイオードのアノード端子とグランド端子との接続を制御する切替信号を生成する。
【００１２】
スイッチ回路は、上記切替信号に基づいて、選択されたＶＣＯのみのバラクタダイオードのアノード端子と上記グランド端子を接続し、他のＶＣＯのバラクタダイオードのアノード端子と上記グランド端子との接続を解除する。
【００１３】
上記構成により、ＶＣＯのＶＴ端子側から見えるバラクタダイオード数を減少させることによりリファレンスリークを低減することができる。
また、上記ＶＣＯ切替回路の上記切替信号は、選択された上記電圧制御発振器のみの電流をオンにし、他の上記ＶＣＯの電流をオフにするとともに、選択された上記ＶＣＯのみの出力を選択する。
【発明の効果】
【００１４】
バラクタダイオードを設けることにより発生するリファレンスリークを低減し、広帯域にわたり安定した発振信号を出力することができる。
【図面の簡単な説明】
【００１５】
【図１】Ａは実施例１のＰＬＬ回路の構成を示す図である。Ｂは実施例１のＶＣＯの構成例を示す図である。
【図２】Ａは実施例２のＰＬＬ回路の構成を示す図である。Ｂは実施例２のＶＣＯの構成例を示す図である。
【図３】Ａは、従来のＶＣＯ３個を用いたＰＬＬ回路のバラクタダイオードにより発生するリーク電流とＶＣＯ制御電圧との関係を示す図である。Ｂは、従来のＶＣＯ３個を用いたＰＬＬ回路のバラクタダイオードにより発生するリーク電流とＶＣＯ制御電圧との関係の温度特性を示す図である。
【図４Ａ】実施例３のＰＬＬ回路の構成を示す図である。
【図４Ｂ】実施例３のＶＣＯの構成例を示す図である。
【図５Ａ】実施例４のＰＬＬ回路の構成を示す図である。
【図５Ｂ】実施例４のＶＣＯの構成例を示す図である。
【図６】ＶＣＯ発振周波数とＶＴ（ＶＣＯ制御電圧）との関係を示す図である。
【発明を実施するための形態】
【００１６】
以下図面に基づいて、本発明の実施形態について詳細を説明する。
（実施例１）
図１のＡは、ＰＬＬ回路１の構成を示すブロック図である。
【００１７】
ＰＬＬ回路１は、例えば、テレビチューナ用ＩＣに搭載され、複数のＶＣＯの中から受信したい放送局の周波数に適した周波数帯域のＶＣＯを選択するための回路である。ＰＬＬ回路１は、基準クロック発生器２（ＯＳＣ）、位相比較器３（ＰＤ）、可変チャージポンプ４（ＣＰ）、ループフィルタ５（ＦＩＬ）、Ａ／Ｄコンバータ６（ＡＤ）、ＶＣＯ切替回路７（ＶＡＳ）、ＶＣＯ８（８ａ〜８ｃ）、ＶＣＯ選択回路９（ＳＥＬ）、プログラマブル分周器１０（１／Ｎ）、ＶＴ選択回路１１を備えている。
【００１８】
基準クロック発生器２は、水晶振動子等から基準クロック信号を生成する回路である。なお、基準クロック発生器２から出力される基準クロック信号を、予め定められた分周比で分周して特定の周波数のクロック信号を位相比較器３に出力してもよい。
【００１９】
位相比較器３は、プログラマブル分周器１０の出力信号と、基準クロック発生器２から出力されるクロック信号の位相を比較し、位相差に応じた信号を可変チャージポンプ４に出力する。
【００２０】
可変チャージポンプ４は、位相比較器３から出力されるアップ信号またはダウン信号に従って、ループフィルタ５のキャパシタの充電または放電を行う。
ループフィルタ５は、可変チャージポンプ４の出力電流を平滑してＶＣＯ８ａ〜８ｎの発振周波数を制御するＶＣＯ制御電圧として出力する。
【００２１】
Ａ／Ｄコンバータ６は、ループフィルタ５の出力信号をディジタル変換してＶＣＯ切替回路７に出力する。
ＶＣＯ切替回路７は、ループフィルタ５から出力されるＶＣＯ制御電圧をＡ/Ｄ変換したディジタル信号に基づいて複数のＶＣＯ８ａ〜８ｃの内の１つを選択する。例えば、ディジタル信号を取得して、ＶＣＯ８ａ〜８ｃごとに関連付けられて記録部に記録されているＶＣＯ制御電圧値の範囲（ディジタル値）と該ディジタル信号とを比較して、対応するＶＣＯを選択しても良いし、図６に示す（１）〜（５）の順に、ディジタル値を比較し予め決めたＶＴ範囲（例えば、１Ｖ〜２Ｖ：ＡＤＣ＝００１〜１１０）になるようにＶＣＯ８を選択しても良い。
【００２２】
次に、ループフィルタ５の出力端子と選択されたＶＣＯ８ａ〜８ｃのＶＴ端子（電圧制御発振器制御電圧端子）を接続するために、ＶＴ選択回路１１を切り替える切替信号を生成する。例えば、ＶＣＯ８ａが選択された場合には、ＶＴ１のラインのみがループフィルタ５の出力端子と接続されるような切替信号を生成する。切替信号を生成する方法として、ＶＣＯ８ａ〜８ｃに関連付けてＶＴ選択回路１１を切り替えるコードを予めテーブルに記録し、このテーブルを参照して対象のコードを選択して切替信号とする。なお、切替信号の生成はテーブルを用いなくてもよく、演算などにより算出してもよい。
【００２３】
また、ＶＣＯ切替回路７は、対応するＶＣＯだけに電流を供給するためにスイッチＳＷ１ａ、ＳＷ１ｂを切り替える制御をする。スイッチＳＷ１ａ、ＳＷ１ｂの切り替えは、切替信号により行う。例えば、ＶＣＯ８ａが選択された場合には、切替信号に基づいてＶＣＯ８ａのスイッチＳＷ１ａをクローズし、スイッチＳＷ１ｂをオープンにする。また、他のＶＣＯ８ｂ、８ｃのスイッチＳＷ１ａはオープンにしてスイッチＳＷ１ｂはクローズにする。電流の供給を制御する場合も、上記コードを利用して切替信号にする。なお、該コードとは別に電流の供給制御用の切替信号を生成してもよい。
【００２４】
ＶＣＯ８（８ａ〜８ｃ）は、それぞれ発振周波数帯域の異なる電圧制御発振器であり、これらのＶＣＯ８の発振信号の内の１つがＶＣＯ切替回路７により選択されＶＣＯ出力に出力される。
【００２５】
ＶＣＯ選択回路９は、切替信号に基づいて選択されたＶＣＯ８の出力信号のみを出力する回路である。
プログラマブル分周器１０は、ＶＣＯ８のいずれかひとつから出力される発振信号を、分周データで指定される分周比で分周して位相比較器３に出力する。プログラマブル分周器１０の分周比は、ＶＣＯの発振周波数と、ＰＬＬ回路１の比較周波数（クロック信号の周波数）から決めることができる。本実施例では、位相比較器３に入力するクロック信号の周波数は一定であるので、そのクロック信号の周波数と分周データに基づいて、放送局の周波数に対して好適な発振周波数帯域を有するＶＣＯを予め決めておくことができる。従って、ＶＣＯ切替回路７は、分周データに基づいて、好適な発振周波数帯域のＶＣＯを選択する信号を生成することができる。
【００２６】
ＶＴ選択回路１１は、ループフィルタ５の出力と接続するＶＣＯ８のＶＴ端子を、切替信号に基づいて選択する。
図１のＢは、複数のＶＣＯ８（８ａ〜８ｃ）のいずれかひとつの構成例を示す図である。ＶＴ端子にはバラクタダイオードＤ１、Ｄ２のカソード端子が接続されている。バラクタダイオードＤ１のアノード端子にはコンデンサＣ１と抵抗Ｒ１が接続されている。コンデンサＣ１の他方の端子にはコイルＬ１とコンデンサＣ４とトランジスタＴｒ１のコレクタ端子が接続されている。抵抗Ｒ１の他方の端子はグランドＧＮＤと接続されている。バラクタダイオードＤ２のアノード端子にはコンデンサＣ２と抵抗Ｒ２が接続されている。コンデンサＣ２の他方の端子にはコイルＬ２とコンデンサＣ３とトランジスタＴｒ２のコレクタ端子が接続されている。抵抗Ｒ２の他方の端子はグランドＧＮＤと接続されている。
【００２７】
コイルＬ１、Ｌ２の他方の端子は電源（ＶＣＣ）に接続されている。
トランジスタＴｒ１のベース端子はコンデンサＣ３の他方の端子と抵抗Ｒ３に接続されている。トランジスタＴｒ２のベース端子はコンデンサＣ４の他方の端子と抵抗Ｒ４に接続されている。抵抗Ｒ３、Ｒ４の他方の端子は定電圧源に接続され、ＶｃｏｎｔをトランジスタＴｒ１、Ｔｒ２に供給している。
【００２８】
また、トランジスタＴｒ１、Ｔｒ２のエミッタとトランジスタＴｒ３のコレクタは接続され、トランジスタＴｒ３のエミッタは抵抗Ｒ５に接続されている。抵抗Ｒ５の他方の端子はグランドＧＮＤに接続されている。トランジスタＴｒ３のベースは、スイッチＳＷ１ａ、ＳＷ１ｂの一方の端子と接続されている。スイッチＳＷ１ａの他方の端子はトランジスタＴｒ４のベースとコレクタと電流源Ｉｓｏｕｒｃｅに接続されている。トランジスタＴｒ４のエミッタは抵抗Ｒ６の一方の端子に接続されている。スイッチＳＷ１ｂの他方の端子と抵抗Ｒ６の他方の端子はグランドＧＮＤに接続されている。このように、電流源ＩｓｏｕｒｃｅとスイッチＳＷ１ａを介してカレントミラーにより接続され、電流源から電流が供給される。また、スイッチＳＷ１ａ、ＳＷ１ｂは切替信号により制御され、スイッチＳＷ１ａがクローズしているときスイッチＳＷ１ｂはオープンし、スイッチＳＷ１ａがオープンしているときスイッチＳＷ１ｂはクローズする。
【００２９】
上記のように構成されたＶＣＯの場合、各ＶＴ端子にはバラクタダイオードＤ１、Ｄ２が接続されているため、常時ループフィルタ５の出力と各ＶＴ端子が接続状態にされているとリーク電流が増加してしまう。しかし、必要なときだけループフィルタ５の出力と選択されているＶＣＯ８のＶＴ端子を接続する。
（実施例２）
図２のＡは、ＰＬＬ回路２０の構成を示すブロック図である。
【００３０】
ＰＬＬ回路２０は、基準クロック発生器２（ＯＳＣ）、位相比較器３（ＰＤ）、可変チャージポンプ４（ＣＰ）、ループフィルタ５（ＦＩＬ）、Ａ／Ｄコンバータ６（ＡＤ）、ＶＣＯ切替回路７（ＶＡＳ）、ＶＣＯ８（８ａ〜８ｃ）、ＶＣＯ選択回路９（ＳＥＬ）、プログラマブル分周器１０（１／Ｎ）を備えている。実施例１と違うのは、ＶＣＯ８ごとにＶＣＯ８内に設けられたスイッチ回路ＳＷ２をＶＣＯ切替回路７の出力信号（切替信号）により切り替えるところである。
【００３１】
ＶＣＯ切替回路７は、ループフィルタ５から出力されるＶＣＯ制御電圧をＡ/Ｄ変換したディジタル信号に基づいて複数のＶＣＯ８ａ〜８ｃの内の１つを選択する。例えば、ディジタル信号を取得して、ＶＣＯ８ａ〜８ｃごとに関連付けられて記録部に記録されているＶＣＯ制御電圧値の範囲（ディジタル値）と該ディジタル信号とを比較して、対応するＶＣＯを選択しても良いし、図６に示す（１）〜（５）の順に、ディジタル値を比較し予め決めたＶＴ範囲（例えば、１Ｖ〜２Ｖ：ＡＤＣ＝００１〜１１０）になるようにＶＣＯ８を選択しても良い。
【００３２】
次に、ループフィルタ５の出力端子と選択されたＶＣＯ８ａ〜８ｃのＶＴ端子（電圧制御発振器制御電圧端子）だけにＶＣＯ制御電圧を供給するためにスイッチ回路ＳＷ２のスイッチＳ１、Ｓ２を制御する。例えば、ＶＣＯ８ａが選択された場合には、ＶＣＯ８ａのスイッチ回路ＳＷ２のスイッチＳ１、Ｓ２をクローズし、それ以外のＶＣＯ８ｂ、８ｃのスイッチ回路ＳＷ２はオープンにするような切替信号を生成する。切替信号を生成する方法として、ＶＣＯ８ａ〜８ｃに関連付けてスイッチ回路ＳＷ２のスイッチＳ１、Ｓ２を切り替えるコードを予めテーブルに記録し、このテーブルを参照して対象のコードを選択して切替信号とする。なお、切替信号の生成はテーブルを用いなくてもよく、演算などにより算出してもよい。
【００３３】
また、ＶＣＯ切替回路７は、対応するＶＣＯだけに電流を供給するためにスイッチＳＷ１ａ、ＳＷ１ｂを切り替える制御をする。スイッチＳＷ１ａ、ＳＷ１ｂの切り替えは、切替信号により行う。例えば、ＶＣＯ８ａが選択された場合には、切替信号に基づいてＶＣＯ８ａのスイッチＳＷ１ａをクローズし、スイッチＳＷ１ｂをオープンにする。また、他のＶＣＯ８ｂ、８ｃのスイッチＳＷ１ａはオープンにしてスイッチＳＷ１ｂはクローズにする。電流の供給を制御する場合も、上記コードを利用して切替信号にする。なお、該コードとは別に電流の供給制御用の切替信号を生成してもよい。
【００３４】
ＶＣＯ８（８ａ〜８ｃ）は、それぞれ発振周波数帯域の異なる電圧制御発振器であり、これらのＶＣＯ８の発振信号の内の１つがＶＣＯ切替回路７により選択され図示しない他の回路に出力される。
【００３５】
図２のＢは、複数のＶＣＯ８（８ａ〜８ｃ）のいずれかひとつの構成例を示す図である。ＶＴ端子にはバラクタダイオードＤ１、Ｄ２のカソード端子が接続されている。バラクタダイオードＤ１のアノード端子にはコンデンサＣ１とスイッチ回路ＳＷ２のスイッチＳ１（例えばトランジスタ、以降のスイッチＳ２〜Ｓ１４も同様）が接続されている。コンデンサＣ１の他方の端子にはコイルＬ１とコンデンサＣ４とトランジスタＴｒ１のコレクタ端子が接続されている。スイッチ回路ＳＷ２のスイッチＳ１の他方の端子はグランドＧＮＤと接続されている。バラクタダイオードＤ２のアノード端子にはコンデンサＣ２とスイッチ回路ＳＷ２のスイッチＳ２（例えばトランジスタ）が接続されている。コンデンサＣ２の他方の端子にはコイルＬ２とコンデンサＣ３とトランジスタＴｒ２のコレクタ端子が接続されている。スイッチ回路ＳＷ２のスイッチＳ２の他方の端子はグランドＧＮＤと接続されている。
【００３６】
コイルＬ１、Ｌ２の他方の端子は電源（ＶＣＣ）に接続されている。
トランジスタＴｒ１のベース端子はコンデンサＣ３の他方の端子と抵抗Ｒ３に接続されている。トランジスタＴｒ２のベース端子はコンデンサＣ４の他方の端子と抵抗Ｒ４に接続されている。抵抗Ｒ３、Ｒ４の他方の端子は定電圧源に接続され、ＶｃｏｎｔをトランジスタＴｒ１、Ｔｒ２に供給している。
【００３７】
また、トランジスタＴｒ１、Ｔｒ２のエミッタとトランジスタＴｒ３のコレクタは接続され、トランジスタＴｒ３のエミッタは抵抗Ｒ５に接続されている。抵抗Ｒ５の他方の端子はグランドＧＮＤに接続されている。トランジスタＴｒ３のベースは、スイッチＳＷ１ａ、ＳＷ１ｂの一方の端子と接続されている。スイッチＳＷ１ａの他方の端子はトランジスタＴｒ４のベースとコレクタと電流源Ｉｓｏｕｒｃｅに接続されている。トランジスタＴｒ４のエミッタは抵抗Ｒ６の一方の端子に接続されている。スイッチＳＷ１ｂの他方の端子と抵抗Ｒ６の他方の端子はグランドＧＮＤに接続されている。このように、電流源ＩｓｏｕｒｃｅとスイッチＳＷ１ａを介してカレントミラーにより接続され、電流源から電流が供給される。また、スイッチＳＷ１ａ、ＳＷ１ｂは切替信号により制御され、スイッチＳＷ１ａがクローズしているときスイッチＳＷ１ｂはオープンし、スイッチＳＷ１ａがオープンしているときスイッチＳＷ１ｂはクローズする。
【００３８】
上記のように構成されたＶＣＯの場合、各ＶＴ端子にはバラクタダイオードＤ１、Ｄ２が接続されているため、常時ループフィルタ５の出力と各ＶＴ端子が接続状態にされているとリーク電流が増加してしまう。しかし、必要なときだけスイッチ回路ＳＷ２のスイッチＳ１、Ｓ２をクローズし、使用しないときはスイッチＳ１、Ｓ２をオープンにすることによりリーク電流を低減させることができる。
【００３９】
図３のＡは、従来のＶＣＯ３個を用いたＰＬＬ回路（ＶＴ端子から見えるバラクタダイオードの数量が６個）のバラクタダイオードにより発生するリーク電流（リファレンスリーク）とＶＣＯ制御電圧との関係を示す図である。縦軸にリーク電流Ｌｅａｋ（Ａ）、横軸にＶＣＯ制御電圧ＶＴ（Ｖ）が示されている。本実施例１、２場合には、リーク電流を従来の１／３にすることができる。このとき、ＶＴ端子側から見えるバラクタダイオードの数量は２個（１対）である。
【００４０】
また、図３のＢは、図３のＡの温度特性を示す図である。ＶＣＯ制御電圧が増加するに従いリファレンスリークが増加し、温度が上昇するほどリファレンスリークの変動が大きくなる傾向にある。そのため、温度が上昇した場合に本実施例１、２は特に有効であることが分かる。
（実施例３）
図４Ａは、ＰＬＬ回路４０の構成を示すブロック図である。
【００４１】
ＰＬＬ回路４０は、基準クロック発生器２（ＯＳＣ）、位相比較器３（ＰＤ）、可変チャージポンプ４（ＣＰ）、ループフィルタ５（ＦＩＬ）、Ａ／Ｄコンバータ６（ＡＤ）、ＶＣＯ切替回路７（ＶＡＳ）、ＶＣＯ８ｄ、プログラマブル分周器１０（１／Ｎ）を備えている。実施例１と違うのは、複数のＶＣＯ８ａ〜８ｃの代わりにＶＣＯ８ｄが設けられているところである。
【００４２】
図４Ｂは、ＶＣＯ８ｄの構成例を示す図である。ＶＣＯ８ｄは３個の発振部を備えている。発振部ＡはバラクタダイオードＤ１１、Ｄ２１を有し、発振部ＢはバラクタダイオードＤ１２、Ｄ２２を有し、発振部ＣはバラクタダイオードＤ１３、Ｄ２３を有する。
【００４３】
ＶＴ１端子にはバラクタダイオードＤ１１、Ｄ２１のカソード端子が接続されている。バラクタダイオードＤ１１のアノード端子にはコンデンサＣ１１と抵抗Ｒ７が接続されている。コンデンサＣ１１の他方の端子にはスイッチＳ３の一方の端子が接続され、スイッチＳ３の他方の端子にはコイルＬ１とスイッチＳ５、Ｓ７、コンデンサＣ４、トランジスタＴｒ１のコレクタが接続されている。バラクタダイオードＤ２１のアノード端子にはコンデンサＣ２１と抵抗Ｒ８が接続されている。コンデンサＣ２１の他方の端子にはスイッチＳ４の一方の端子が接続され、スイッチＳ４の他方の端子にはコイルＬ２とスイッチＳ６、Ｓ８、コンデンサＣ３とトランジスタＴｒ２のコレクタが接続されている。
【００４４】
ＶＴ２端子にはバラクタダイオードＤ１２、Ｄ２２のカソード端子が接続されている。バラクタダイオードＤ１２のアノード端子にはコンデンサＣ１２と抵抗Ｒ９が接続されている。コンデンサＣ１２の他方の端子にはスイッチＳ５の一方の端子が接続されている。バラクタダイオードＤ２２のアノード端子にはコンデンサＣ２２と抵抗Ｒ１０が接続されている。コンデンサＣ２２の他方の端子にはスイッチＳ６の一方の端子が接続されている。
【００４５】
ＶＴ３端子にはバラクタダイオードＤ１３、Ｄ２３のカソード端子が接続されている。バラクタダイオードＤ１３のアノード端子にはコンデンサＣ１３と抵抗Ｒ１１が接続されている。コンデンサＣ１３の他方の端子にはスイッチＳ７の一方の端子が接続されている。バラクタダイオードＤ２３のアノード端子にはコンデンサＣ２３と抵抗Ｒ１２が接続されている。コンデンサＣ２３の他方の端子にはスイッチＳ８の一方の端子が接続されている。
【００４６】
ＶＣＯ８ｄの各ＶＴ端子とループフィルタ５の出力端子との接続は、切替信号に基づいて制御され、例えば、切替信号に基づいて選択された発振部ＡのＶＴ１端子へＶＴ信号を供給するように切り替えがされると、ＶＴ２、３端子にはＶＴ信号は供給されない。また、スイッチＳ３、Ｓ４は切替信号に基づいてクローズし、スイッチＳ５、Ｓ６、Ｓ７、Ｓ８をオープンにする。このように、スイッチＳ３〜Ｓ８を制御することにより選択されている発振部だけを動作させ、選択されていない発振部は停止させる。
【００４７】
コイルＬ１、Ｌ２の他方の端子は電源（ＶＣＣ）に接続されている。
トランジスタＴｒ１のベース端子はコンデンサＣ３の他方の端子と抵抗Ｒ３に接続されている。トランジスタＴｒ２のベース端子はコンデンサＣ４の他方の端子と抵抗Ｒ４に接続されている。抵抗Ｒ３、Ｒ４の他方の端子は定電圧源に接続され、ＶｃｏｎｔをトランジスタＴｒ１、Ｔｒ２に供給している。
【００４８】
また、トランジスタＴｒ１、Ｔｒ２のエミッタとトランジスタＴｒ３のコレクタは接続され、トランジスタＴｒ３のエミッタは抵抗Ｒ５に接続されている。抵抗Ｒ５の他方の端子はグランドＧＮＤに接続されている。トランジスタＴｒ３のベースは、トランジスタＴｒ４のベースとコレクタと電流源Ｉｓｏｕｒｃｅに接続されている。トランジスタＴｒ４のエミッタは抵抗Ｒ６の一方の端子に接続され、抵抗Ｒ６の他方の端子はグランドＧＮＤに接続されている。このように、電流源Ｉｓｏｕｒｃｅとカレントミラー接続され、電流源から電流が供給される。
【００４９】
上記のように構成されたＶＣＯ８ｄの場合、各ＶＴ端子にはバラクタダイオードＤ１１、Ｄ２１、Ｄ１２、Ｄ２２、Ｄ１３、Ｄ２３が接続され、常時ループフィルタ５の出力と各ＶＴ端子が接続状態にされているためリーク電流が増加してしまう。しかし、必要なときだけループフィルタ５の出力とＶＣＯ８ｄの選択されている発振部のＶＴ端子を接続することによりリーク電流を低減させることができる。
（実施例４）
図５Ａは、ＰＬＬ回路５０の構成を示すブロック図である。
【００５０】
ＰＬＬ回路５０は、基準クロック発生器２（ＯＳＣ）、位相比較器３（ＰＤ）、可変チャージポンプ４（ＣＰ）、ループフィルタ５（ＦＩＬ）、Ａ／Ｄコンバータ６（ＡＤ）、ＶＣＯ切替回路７（ＶＡＳ）、ＶＣＯ８ｅ、プログラマブル分周器１０（１／Ｎ）を備えている。実施例１と違うのは、複数のＶＣＯ８ａ〜８ｃの代わりにＶＣＯ８ｅが１つ設けられているところである。
【００５１】
図５Ｂは、ＶＣＯ８ｅの構成例を示す図である。ＶＣＯ８ｅは３個の発振部を備えている。発振部ＡはバラクタダイオードＤ１１、Ｄ２１を有し、発振部ＢはバラクタダイオードＤ１２、Ｄ２２を有し、発振部ＣはバラクタダイオードＤ１３、Ｄ２３を有する。
【００５２】
ＶＴ端子にはバラクタダイオードＤ１１、Ｄ２１、Ｄ１２、Ｄ２２、Ｄ１３、Ｄ２３のカソード端子が接続されている。バラクタダイオードＤ１１のアノード端子にはコンデンサＣ１１とスイッチ回路ＳＷ３のスイッチＳ９が接続されている。コンデンサＣ１１の他方の端子にはスイッチＳ３の一方の端子が接続され、スイッチＳ３の他方の端子にはコイルＬ１とスイッチＳ５、Ｓ７、コンデンサＣ４とトランジスタＴｒ１のコレクタ端子が接続されている。スイッチ回路ＳＷ３のスイッチＳ９の他方の端子はグランドＧＮＤと接続されている。バラクタダイオードＤ２１のアノード端子にはコンデンサＣ２１とスイッチ回路ＳＷ３のスイッチＳ１０（例えばトランジスタ）が接続されている。コンデンサＣ２１の他方の端子にはスイッチＳ４の一方の端子が接続され、スイッチＳ４の他方の端子にはコイルＬ２とスイッチＳ６、Ｓ８、コンデンサＣ３とトランジスタＴｒ２のコレクタ端子が接続されている。スイッチ回路ＳＷ３のスイッチＳ１０の他方の端子はグランドＧＮＤと接続されている。
【００５３】
バラクタダイオードＤ１２のアノード端子にはコンデンサＣ１２とスイッチ回路ＳＷ３のスイッチＳ１１が接続されている。コンデンサＣ１２の他方の端子にはスイッチＳ５の一方の端子が接続されている。スイッチ回路ＳＷ３のスイッチＳ１１の他方の端子はグランドＧＮＤと接続されている。バラクタダイオードＤ２１のアノード端子にはコンデンサＣ２２とスイッチ回路ＳＷ３のスイッチＳ１２が接続されている。コンデンサＣ２２の他方の端子にはスイッチＳ６の一方の端子が接続されている。スイッチ回路ＳＷ３のスイッチＳ１２の他方の端子はグランドＧＮＤと接続されている。
【００５４】
バラクタダイオードＤ１３のアノード端子にはコンデンサＣ１３とスイッチ回路ＳＷ３のスイッチＳ１３（例えばトランジスタ）が接続されている。コンデンサＣ１３の他方の端子にはスイッチＳ７の一方の端子が接続されている。スイッチ回路ＳＷ３のスイッチＳ１３の他方の端子はグランドＧＮＤと接続されている。バラクタダイオードＤ２３のアノード端子にはコンデンサＣ２３とスイッチ回路ＳＷ３のスイッチＳ１４（例えばトランジスタ）が接続されている。コンデンサＣ２３の他方の端子にはスイッチＳ８の一方の端子が接続されている。スイッチ回路ＳＷ３のスイッチＳ１４の他方の端子はグランドＧＮＤと接続されている。
【００５５】
上記スイッチ回路ＳＷ３は切替信号に基づいてオープン／クローズが制御される。例えば、切替信号に基づいて選択された発振部ＡのＶＴ１端子へＶＴ信号を供給するように切り替えがされるとき、スイッチ回路ＳＷ３のＳ９、Ｓ１０をクローズし、他のＳ１１〜Ｓ１４をオープンにする。また、スイッチＳ３、Ｓ４は切替信号に基づいて制御されクローズし、スイッチＳ５、Ｓ６、Ｓ７、Ｓ８はオープンにする。このように、スイッチＳ３〜Ｓ８を制御することにより選択されている発振部だけを動作させ、選択されていない発振部は停止させる。
【００５６】
コイルＬ１、Ｌ２の他方の端子は電源（ＶＣＣ）に接続されている。
トランジスタＴｒ１のベース端子はコンデンサＣ３の他方の端子と抵抗Ｒ３に接続されている。トランジスタＴｒ２のベース端子はコンデンサＣ４の他方の端子と抵抗Ｒ４に接続されている。抵抗Ｒ３、Ｒ４の他方の端子は定電圧源に接続され、ＶｃｏｎｔをトランジスタＴｒ１、Ｔｒ２に供給している。
【００５７】
また、トランジスタＴｒ１、Ｔｒ２のエミッタとトランジスタＴｒ３のコレクタは接続され、トランジスタＴｒ３のエミッタは抵抗Ｒ５に接続されている。抵抗Ｒ５の他方の端子はグランドＧＮＤに接続されている。トランジスタＴｒ３のベースはトランジスタＴｒ４のベースとコレクタと電流源Ｉｓｏｕｒｃｅに接続されている。トランジスタＴｒ４のエミッタは抵抗Ｒ６の一方の端子に接続され、抵抗Ｒ６の他方の端子はグランドＧＮＤに接続されている。このように、電流源Ｉｓｏｕｒｃｅとカレントミラー接続され電流が供給される。
【００５８】
上記のように構成されたＶＣＯ８ｅの場合、各ＶＴ端子にはバラクタダイオードＤ１１、Ｄ２１、Ｄ１２、Ｄ２２、Ｄ１３、Ｄ２３が接続されているため、常時ループフィルタ５の出力と各ＶＴ端子が接続状態にされているためリーク電流が増加してしまう。そこで、必要なときだけＶＣＯ８ｅの発振部を選択する。そして、選択した発振部に対応するスイッチＳ３〜Ｓ８を選択してクローズする。そして、使用しない発振部に対応するスイッチはオープンにしてリーク電流を低減させる。
【００５９】
また、本発明は、上記実施の形態に限定されるものでなく、本発明の要旨を逸脱しない範囲内で種々の改良、変更が可能である。
【符号の説明】
【００６０】
１、２０、４０、５０  ＰＬＬ回路、
２  基準クロック発生器、
３  位相比較器、
４  可変チャージポンプ、
５  ループフィルタ、
６  Ａ／Ｄコンバータ、
７  ＶＣＯ切替回路、
８  ＶＣＯ、
９  ＶＣＯ選択回路、
１０  プログラマブル分周器、
１１  ＶＴ選択回路、
Ｄ１、Ｄ２  バラクタダイオード、
ＳＷ１ａ、ＳＷ１ｂ  スイッチ、
ＳＷ２、ＳＷ３  スイッチ回路、
Ｓ１〜Ｓ１４  スイッチ、
Ｃ１〜Ｃ４、Ｃ１１〜Ｃ１３、Ｃ２１〜Ｃ２３  コンデンサ、
Ｄ１、Ｄ２、Ｄ１１〜Ｄ１３、Ｄ２１〜Ｄ２３  バラクタダイオード、
Ｌ１、Ｌ２  コイル、
Ｒ１〜Ｒ１２  抵抗、
Ｔｒ１〜Ｔｒ４  トランジスタ、
【図１】
2010226286.tif 000003
【図２】
2010226286.tif 000004
【図４Ａ】
2010226286.tif 000005
【図４Ｂ】
2010226286.tif 000006
【図５Ａ】
2010226286.tif 000007
【図５Ｂ】
2010226286.tif 000008
【図６】
2010226286.tif 000009
【図３】
2010226286.tif 000010